(57)【要約】 【課題】  シンプルな構成で、ピアノの弦が断線した際に、断線した弦の飛散によって側板等の外装部材が傷つくことを防ぐ。【解決手段】  ピアノ本体の全体的な本組みを成すフレーム３上に設けられたピン４に弦５の後端部の係止環５ａを嵌挿して、弦５をフレーム３上に張設し、前記張設された弦が断線した時に、該断線した弦が前記ピンから外れて飛散することを防止する飛散防止部材を設ける。飛散防止部材は、例えば紐状部材６であって、各係止環５ａに対して紐状部材６を通して、複数の弦５を紐状部材６によって相互に連結する。断線した弦５は紐状部材６によって他の弦と連結され、飛散することなく、その場に留まる。【選択図】  図１
2005221871.tif 000002
【特許請求の範囲】
【請求項１】
フレーム上に設けられたピンに弦の一端部の係止環を嵌挿して該弦を該フレーム上に張設するピアノにおいて、
前記張設された弦が断線した時に、該断線した弦が前記ピンから外れて飛散することを防止する飛散防止部材を具備することを特徴とするピアノ。
【請求項２】
前記飛散防止部材は、前記ピンの一端部の係止環が前記ピンから外れることを防止するものである請求項１に記載のピアノ。
【請求項３】
前記飛散防止部材は、前記ピンから外れた弦がピアノ外部に飛散することを防止するものである請求項１に記載のピアノ。
【発明の詳細な説明】
【技術分野】
【０００１】
この発明は、ピアノに関し、詳しくは、弦が断線した時に弦が飛散することを防止するための改良に関する。
【背景技術】
【０００２】
周知の通り、アコースティックピアノには複数の弦が備わる。例えば、グランドピアノには、一般に、約２３０本ほどの弦が張設されており、低音域用の弦としては、一本の鋼鉄線（芯線）を中心にして銅線を巻きつけた巻線を用い、中〜高音域用の弦としては巻線を施さない芯線を用いている。各弦は、グランドピアノ本体の全体的な骨格を成すフレーム（鉄盤）上において、概ねピアノ前方（鍵盤側）から後方に沿う向きに、各々均等な張力（略９０ｋｇ内外）で、張設される。このとき、２００本以上もの多数の弦を楽器本体内に効率よく配置するために、低音域の弦（巻線）は、それ以外の弦（中高音域の弦）の上側を斜めに横切るよう交差させて配置される。すなわち、低音域の弦（巻線）は、それ以外の弦（中高音域の弦）よりも上層に配置される。
【０００３】
１本毎の弦の取り付け構造について簡単に説明すると、弦の一端部が、後方側のフレーム上に突設されたフレームピンによって掛けられることで保持され（以下、こちら側を弦の後方端部とする）、もう一方の端部は、前方側フレーム（ピン板）上に設けられたチューニングピンに巻きつけられている（こちら側を弦の前方端部とする）。周知のように、ピアノの調律は、このチューニングピンを調律用ハンマで回して行われる。図４は、１本の弦の後方端部の取り付け部の要部を抽出して示す概略断面図であって、グランドピアノの前後方向に沿った切断面を示している。図４において、符号１はピアノ本体の後方側面を成す側板であり、符号２は響板である。フレーム３の上面には、フレームピン４が突設されている。弦（図では巻線）５の後方端部には、弦５をフレームピン４に引っ掛けるための係止環が形成されており、この係止環をフレームピン４に掛けることで、弦５をフレームピン４に取り付けている。つまり、弦５の後方端部をフレームピン４に引っ掛けた状態で、前方端部側からチューニングピンに巻き上げてゆくことで、弦５に対してピアノ前後方向に沿う向きの張力を与えることとなる。弦５の後方端部を支持するフレームピン４は、弦５に対する張力の作用を考慮して、図４に示す通りフレーム３上においてピアノ後方側にやや傾けた状態になるよう設置されている。
【０００４】
ところで、ピアノの弦５は、老朽化もしくは錆、又は、張力のかけすぎ等によって断線してしまう（切れてしまう）恐れがある。弦５の断線は、典型的には、ハンマによる打弦点近傍にて発生しやすい。すなわち、弦５の前方端部側の箇所にて断線してしまうことが多い。前述の通り、弦５がピンと張られた状態では、弦５に対して非常な張力が前後方向に作用しており、また、弦５の後方端部の係止環をピアノ後方向きにやや傾斜したフレームピン４に対して嵌挿することだけで、弦５の張設がなされている。このため、弦５が前方寄りの箇所で断線すると、弦５の前記断線箇所よりも後ろ側の部分はピアノ後方に向けて非常な力で付勢される。すると、弦５の係止環はフレームピン４から容易に滑り抜け、そのまま弦５が飛散し、延いては、側板１を乗り越えて散逸してしまう。このように、断線した弦が飛散、或いは、側板１を乗り越えて散逸してしまうと、例えば、断線した弦５がピアノ本体の後方の側板１や、屋根板等のピアノの外装部材に非常な勢いで接触して該外装部材を損傷してしまう恐れがある。とりわけ、低音域の弦（巻線）５は、相対的に上層側に位置しており、飛散を遮るものが少ないので、側板や屋根板等を傷つける危険性がより高い。また、グランドピアノは、屋根板を開放して楽器本体の内側を露見させることが多いので、側板の内周面や屋根板裏面等といえども、そこに傷がつくことは、グランドピアノの美麗な外観を損ねることになるので好ましくない。また、側板や屋根板等の外装部材は、容易に交換しうるものではないため、それらに対する損傷はできるだけ予防することが望ましい。
【発明の開示】
【発明が解決しようとする課題】
【０００５】
この発明は上述の点に鑑みてなされたもので、シンプルな構成で、ピアノの弦が断線した際に、飛散した弦によって側板等の外装部材が傷つくことを防ぐようにすることを目的とする。
【課題を解決するための手段】
【０００６】
この発明は、フレーム上に設けられたピンに弦の一端部の係止環を嵌挿して該弦を該フレーム上に張設するピアノにおいて、前記張設された弦が断線した時に、該断線した弦が前記ピンから外れて飛散することを防止する飛散防止部材を具備することを特徴とするピアノである。
【発明の効果】
【０００７】
これによれば、フレーム上に設けられたピンに弦の一端部の係止環を嵌挿して該弦を該フレーム上に張設するピアノにおいて、前記張設された弦が断線した時に、該断線した弦が前記ピンから外れて飛散することを防止する飛散防止部材を具備することで、ピアノ弦が断線した際に、該断線した弦の一端部の係止環がピンから外れることを、又は、断線した弦がピアノ外部に飛散することを防止して、断線時に側板や屋根板等の外装部材が傷つくことを未然に防ぐことができる。
【発明を実施するための最良の形態】
【０００８】
以下、添付図面を参照してこの発明の一実施例について説明する。
【０００９】
先ず、図１を参照してこの発明の第１の実施例について説明する。なお、図１において、既述と同様な構成要素については同一の符号を与えるものとする。
図１（ａ），（ｂ）は、この発明に係る要部を拡大・抽出して示す図であって、グランドピアノの後方側フレーム３上に設けられたフレームピン４と該フレームピン４に取り付けされた弦５とを、ピアノ上面側から見た概略斜視図である。この実施例において、弦５を当該グランドピアノに張設するための取り付け部の構造自体は図４と同様であり、ここでは、フレームその他の部材の図示を省略した。弦５の後方端部に設けられた係止環５ａはフレームピン４に嵌挿されており、これにより弦５がフレーム３上に張設される。この実施例においては、弦断線時の飛散防止部材として、紐状部材６が具備されている。図１（ａ）の例では、各弦５の係止環５ａに対して紐状部材６が通されており、複数の弦５は紐状部材６によって相互に連結される。これによれば、１本の弦５が断線してフレームピン４から外れてしまったとしても、該断線した弦５は、紐状部材６によって他の弦と連結されているため、飛散することなく、その場に留まる。よって、弦５が断線したとしても弦５が飛散することを防止でき、断線した弦によって側板、屋根板等のピアノ外装部材が傷つけられることはない。
【００１０】
図１（ａ）の例では、紐状部材６を各弦５の係止環５ａに通すことで、複数の弦５を相互連結する例を示したが、（ｂ）はその変更例として、紐状部材６が、各弦５の後方端部近傍箇所に１乃至複数回ずつ巻きかけられることで、複数の弦５を相互に連結する例を示す。この場合も上記と同様に、複数の弦５が紐状部材６によって相互に連結されることで、弦５が断線したとしても、断線した弦５は飛散することなく、その場に留まることとなる。
【００１１】
なお、紐状部材６に用いる材質としては、弦の飛散を防止しうる強度を十分に有するものであればどのようなものであっても良い。また、図の例では１本の紐状部材６を用いる構成を示したが、これに限らず複数本の紐状部材を用いても差し支えない。
上述した図１（ａ）、（ｂ）に示す構成例によれば、紐状部材６によって複数の弦５を相互に連結する、という極めてシンプルな構成で、断線時の弦の飛散を効果的に防止することができる。また、弦５の後方端に紐状部材をくくりつけるだけで済むので、グランドピアノの内装の見栄えを損なうことも少ない。
【００１２】
図１（ｃ）は、図１（ａ）、（ｂ）に示したような、断線した弦５がフレームピン４から外れたとしても、その場に留まらせるタイプの弦の飛散防止部材の更に別の構成例を示す概略図である。図１（ｃ）には、複数の弦５の上部を覆うブリッジ型のカバー７によって断線した弦の飛散を防止する例を示す。カバー７は例えばフレーム３(図示省略)上においてネジ止め等によって固定されてよく、カバー７の大きさは、飛散防止すべき全ての弦の上部を覆いうるよう適宜形成してよい。カバー７は、弦５の後方端部近傍の上部において、複数の弦５を跨ぐよう配置される。これによれば、弦５が断線したとしても、カバー７によって飛散することを阻止することができるので、断線した弦５をその場に留めることができる。なお、カバー７は、金属や樹脂等、適宜の材料で形成されてよい。
【００１３】
次に、この発明の第２の実施例として、弦５がフレームピン４から外れないようにすることで、弦の飛散を防止するタイプの飛散防止部材について、図２（ａ）〜（ｄ）を参照して、説明する。図２（ａ）〜（ｄ）は、弦後方端部側の弦取り付け部を抽出して示す側面概略断面図である。図２（ａ）において、フレームピン４には押さえブロック８が装着されている。押さえブロック８は、例えばゴムや樹脂等の適宜の材料からなる板状部材であって、フレームピン４が挿入される取り付け穴８ａを有している。取り付け穴８ａは、フレームピン４の傾斜角度に沿うよう、押さえブロック８の上下面に対して斜めに穿孔される。フレームピン４に弦５が取り付けられた状態で、この押さえブロック８をフレームピン４の上部から被せて、弦５の後方端部を該押さえブロック８によって上から押さえつける。これにより、弦５が断線したとしても、後方端部（係止環５ａ）が押さえブロック８によって押さえられているので、弦５がフレームピン４から外れることがなく、該断線した弦５が飛散することを防止することができる。なお、押さえブロック８は、１つの押さえブロック８によって、複数の弦５を押さえるよう構成してよい。すなわち、１つの押さえブロック８を長手に形成し、該押さえブロック８にフレーム３上におけるフレームピン４の配置ピッチに対応して複数の取り付け穴８ａを設けるように構成してよい。また、押さえブロック８は、弦５を確実に押さえることができる程度の適宜の幅をもって形成されてよい。この押さえブロック８からなる飛散防止部材は、ピアノへの着脱が極めて簡便である、という利点を有する。
図２（ａ）に示す押さえブロック８は、比較的厚みの薄い部材からなり、取り付け穴８ａとして通孔が穿たれているため、押さえブロック８装着時には、フレームピン４の上端が押さえブロック８上面から突出する。（ｂ）は、（ａ）に示す押さえブロック８の変形例であって、比較的肉厚な部材によって押さえブロック８を構成し、押さえブロック８装着時には、フレームピン４が押さえブロック８内に埋没する例を示す。
なお、飛散防止部材として用いる押さえブロック８の厚み、横幅、断面形状、材料等は、弦５をしっかり押さえつけることができるものでさえあれば、上記に限らずどのようなものであってもよい。また、複数のフレームピン４に対して１つの押さえブロック８を装着する構成に限らず、各フレームピン毎に個別の押さえブロック８を装着するように構成してもよい。
【００１４】
図２（ｃ）、（ｄ）は、弦５がフレームピン４から外れないようにすることで、弦の飛散を防止するタイプの飛散防止部材の更に別の構成例として、フレームピン４の先端を折り曲げることで、弦５が断線した際に弦５がフレームピン４から外れるのを防ぐものである。
前述の通り、フレームピン４はフレーム３上においてピアノ後方側にやや傾斜した状態で配置されており、弦５が断線した際には、断線した弦５はピアノ後方に向かって飛び出す。すなわち、断線した弦５はフレームピン４の傾斜向きに沿って飛び出そうとするため、従来では、断線した弦５がフレームピン４から容易に抜けてしまっていた。この点について、図２（ｃ）、（ｄ）に示す実施例によれば、フレームピン４の先端部分をピアノ前方側に向けて適宜の角度だけ折り返してある。図２（ｃ）には、フレームピン４の先端部分が略垂直になるよう折り返す例を示し、また、（ｄ）には、フレームピン４の先端部分をピアノ前方を指向する鉤手状に折り返す例を示している。フレームピン４の先端部分をピアノ前方側に向けて折り返すことで、断線時にピアノ後方に向かって飛び出そうとする弦５が、フレームピン４から外れ難くなる。
なお、フレームピン４の先端部分を折り曲げる向きは、ピアノ前方向きに曲げるのみならず、横向きであっても良いし、また、後方に向けて更に折り曲げるようにしてもよい。例えば、フレームピン４の先端部分が略水平になるようピアノ後方に向けて折り曲げても良い。こうすれば、弦５の断線時に、弦５の後方端部の係止環５ａがフレームピン４の軸に沿って移動して外れそうになったとしても、該係止環５ａが略垂直に折り曲げられた先端部分に当接するので、弦５が外れにくくなる。このように、この発明に係る弦５がフレームピン４から外れないようにするタイプの飛散防止部材においては、弦５がフレームピン４から絶対的に外れないようにする構造である必要はなく、断線時に弦が飛散しようとする力を緩衝することで、弦５がフレームピン４から外れないようにすれば事足りる。
【００１５】
図３（ａ）、（ｂ）を参照してこの発明の第３の実施例について説明する。図３（ａ）は、当該第３の実施例に係るグランドピアノを上から見た概略平面図である。（ａ）において、符号１０はピアノ本体を示し、符号１１はピアノ本体１０の前方側に設けられた鍵盤を示す。また、符号５０は、相対的に上層に位置するところの低音域の弦（巻線）群を示している。（ｂ）は(ａ)のピアノ後方側の弦の取り付け部を抽出して示す側面概略断面図である。（ａ）に示すように、ピアノ本体１０の後方に位置する側板１の内側面には、巻線郡５０の配置範囲全体にわたって鍔部材９が設けられている。（ｂ）に示すように、鍔部材９は、略Ｌ字型の断面形状を有し、その上板部９ａが、側板１の内側面から本体１０の内部に向けて延びるよう配置されている。これにより、断線した弦５がフレームピン４から外れて飛散しそうになっても、弦５は鍔部材９に追突して、それ以上の飛散を防止することができる。すなわち、断線した弦５が鍔部材９にぶつかるようにすることで、断線した弦５が側板１を越えて飛び出すことなく、弦５の飛散を最小限に留めることができ、他の外装部材に対して損傷を加えることを防ぐことができるようになる。
なお、鍔部材９の上板部９ａの幅（どれだけ楽器内部へ延びるか）は、格別に限定されるものでなく、断線した弦が外部へ飛散することを防止しうる幅でさえあれば適宜に設定してよい。
【００１６】
なお、上述した第１及び第３の実施例で説明した弦が外部に飛散することを防止する（その場に留まるようにする）タイプの飛散防止部材は、断線時に弦の飛散を緩衝できさえすればどのような構造であってもよい。また、上記第１〜第３の実施例において説明した飛散防止部材は、相対的に上層に位置するところの低音域の弦（巻線）に対してのみ適用するなど、一部の弦に対してのみに適用しても良いし、あるいは、全ての弦に対して適用してもよい。また、上記第１〜第３の実施例においては、この発明をグランドピアノに適用する例について説明したが、これに限らずアップライトピアノにこの発明に係る弦の飛散防止部材を応用することも可能である。
【図面の簡単な説明】
【００１７】
【図１】（ａ）〜（ｃ）は、この発明の第１の実施例に係る弦の飛散防止部材を説明するための図であって、グランドピアノにおける弦の取り付け部をピアノ上面側から見た概略斜視図。
【図２】(ａ) 〜（ｄ）は、この発明の第２の実施例に係る弦の飛散防止部材を説明するための図であって、弦の取り付け部をピアノ側面から見た概略断面図。
【図３】この発明の第３の実施例に係る弦の飛散防止部材を説明するための図であって、（ａ）はグランドピアノを上側から見た概略平面図であって、（ｂ）は同実施例に係る弦の取り付け部をピアノ側面から見た概略断面図。
【図４】従来から知られる弦の後方端部取り付け部の要部を抽出して示す側面概略断面図。
【符号の説明】
【００１８】
１  側板、２  響板、３  フレーム、４  フレームピン、５  弦、６  紐状部材、７  カバー、８  押さえブロック、９  鍔部材、１０  ピアノ本体、１１  鍵盤
【図１】
2005221871.tif 000003
【図２】
2005221871.tif 000004
【図３】
2005221871.tif 000005
【図４】
2005221871.tif 000006
【手続補正書】
【提出日】平成16年12月3日(2004.12.3)
【手続補正１】
【補正対象書類名】特許請求の範囲
【補正対象項目名】請求項２
【補正方法】変更
【補正の内容】
【請求項２】
前記飛散防止部材は、前記ピンに嵌挿された前記弦の一端部の係止環が該ピンから外れることを防止するものである請求項１に記載のピアノ。